(57)【特許請求の範囲】
【請求項１】
固定的に設置される基台に複数のアームを水平面内で屈曲旋回自在に連結し、最先端のアームの先端にディスプレイを支持するディスプレイ支持装置であって、前記基台および各アーム間の連結部においてその一方に軸を、他方に該軸に回転自在に嵌合する軸受部を設け、前記軸と軸受部との間に所定の摩擦力を与える摩擦発生装置を介設し、
前記摩擦発生装置は、前記各連結部において下側となる軸の上端に不回転に結合される軸部の径小部に嵌合するプレートの上下面の少なくとも一方に摩擦板を介在させ、前記プレートを連結部の軸受部側にネジ止め等により固定するようにしたトルクユニットで構成されている
ことを特徴とするタッチパネルタイプのディスプレイ支持装置。
【発明の詳細な説明】
【０００１】
【発明の属する技術分野】
本発明はフラットタイプのディスプレイ支持装置に係り、特にタッチパネルタイプのフラットディスプレイの使用を可能とするディスプレイ支持装置に関する。
【０００２】
【従来の技術】
近年、パソコンの応用範囲は驚異的に拡大しつつあり、通常の事務用デスク上において日常の業務にパソコンが使用されるようになっている。
【０００３】
上記のパソコンのディスプレイは、デスク上での設置スペースをとらず、オペレータの眼にもやさしい液晶ディスプレイが多く使用されている。この種の薄型の液晶ディスプレイは自立性に乏しいため、デスクに固定される基台に水平面内で旋回自在に支持された支持アームの先端に取付け、液晶ディスプレイを任意の位置や向きとして見ることができるようにし、不使用時には他の就務に邪魔にならない位置に旋回移動させて格納するようにした旋回アーム構造の支持装置が用いられている。
【０００４】
【発明が解決しようとする課題】
しかるに最近では画面に直接タッチして操作する液晶ディスプレイによる表示装置が実現しており、このようなタッチパネルタイプのディスプレイを従来の旋回アームによる支持装置に支持させて使用するとき、画面へのタッチ時に支持アームが旋回してしまい、そのため見やすい状態に支持してのタッチ操作はできず、止むなく固定的に直立設置して使用するほかはなかった。
【０００５】
本発明は旋回アームによる支持装置にタッチパネルタイプの液晶ディスプレイを支持させてもタッチ時にディスプレイが動かず、確実なタッチ操作ができながら、ディスプレイの位置を変更する際には自由に旋回動させることができるタッチパネルタイプのフラットディスプレイ支持装置を提供することにある。
【０００６】
【課題を解決するための手段】
上記課題を解決する手段として本発明は、固定的に設置される基台に複数のアームを水平面内で屈曲旋回自在に連結し、最先端のアームの先端にディスプレイを支持するディスプレイ支持装置であって、前記基台および各アーム間の連結部においてその一方に軸を、他方に該軸に回転自在に嵌合する軸受部を設け、前記軸と軸受部との間に所定の摩擦力を与える摩擦発生装置を介設し、前記摩擦発生装置は、前記各連結部において下側となる軸の上端に不回転に結合される軸部の径小部に嵌合するプレートの上下面の少なくとも一方に摩擦板を介在させ、前記プレートを連結部の軸受部側にネジ止め等により固定するようにしたトルクユニットで構成されていることにある。上記の摩擦力は、タッチ操作時にはアームが旋回せず、使用時乃至格納時には旋回させることができる程度とされ、実際には１．０〜２．０ｋｇ程度の押圧力に耐えるものとされる。
【０００８】
【発明の実施の形態】
以下、本発明を図面に示す実施の形態を参照して説明する。
【０００９】
図１は本発明の使用形態例を斜視図で示し、図２は側面図で示すもので、デスク１の天板２の適所に挟持金具３を介して固定立設される基台４に複数のアーム５，６，７（図では３個）が水平面内で旋回自在に支持され、最先端のアーム７の先端にタッチパネルタイプを含む液晶フラットディスプレイ８（以下単にディスプレイという）を支持するディスプレイ支持部が設けられる。
【００１０】
上記ディスプレイ支持部の構成は従来と同様であるからその詳細は省略するが、前記アーム７の先端に水平な軸９によりチルト可能に支持される側面視略Ｌ形状のディスプレイ受台１０を有し、この受台１０の垂直面部１０ａにディスプレイ８の背面がビス等により固定されるようになっている。
【００１１】
前記基台４およびアーム５，６，７の各連結部１１，１２，１３には、各アームの旋回時に所定のフリクションを与えるための摩擦発生装置１４が設けられている。
【００１２】
上記摩擦発生装置１４は、その一例としてアーム５，６間の連結部１２を図３に分解斜視図として示し、図４に組付けた状態の断面図として示すように、下側となるアーム５の先端部に上向きに突設された軸１５と、上側のアーム６の基部に形成された軸受部１６との間に介装されるトルクユニット１７で構成されている。
【００１３】
このトルクユニット１７は、図５に取出して示すように前記軸１５の上端から軸方向に切設されたスリット１８に嵌合する偏平状の係合部１９を下端に有する軸部２０と、この軸部２０の上方部の小径部２１に嵌合され前記軸受部１６の段部１６ａにネジ２２により固定されるプレート２３と、このプレー２３の少なくとも一面に添設された波形座金等からなる摩擦板２４と、前記摩擦板２４の摩擦力を設定するため前記軸部２０の上端にネジ込み等により固定される頭部２５とで構成されている。この摩擦力は、アーム６を旋回させるに必要な押圧力が１．０〜２．０ｋｇ程度となるように設定される。
【００１４】
前記軸１５の途中部には小径部２６が形成されており、上側のアーム６の軸受部１６の側部のネジ孔１６ｂからネジ込む止ネジ２７の先端が前記小径部２６に嵌合することで上側のアーム６の抜け止めとされる。
【００１５】
図において２８は上側のアーム６の軸受部１６の上端に螺合されて閉止するキャップ、２９は軸受部１６の下端に介装されるワッシャである。
【００１６】
なお上記の構成は、基部４とアーム５との連結部１１、アーム６と７との連結部１３とも同じ構造とされている。
【００１７】
したがって最先端のディスプレイ支持部の受台１０にタッチパネルタイプの液晶ディスプレイ８を取付けてその画面をタッチ操作しても、各連結部１１，１２，１３のトルクユニット１７によりブレーキが掛かっているので手指によるタッチ時にアーム７，６，５が旋回してしまうことがなく、タッチ操作を可能とする。
【００１８】
ディスプレイ８の不使用時にアーム５，６，７を旋回させて位置を変えたり、あるいは格納状態にするときは、ディスプレイ８を強く押せば各アーム５，６，７の連結部１１，１２，１３がトルクユニット１７の摩擦力に抗して旋回動させることができ、ディスプレイ８を所望の位置に移動させることができる。
【００１９】
摩擦力を強めたいとき、あるいは弱めたいときは、トルクユニット１７の頭部２５の締込み量により所望の値に選択することができる。またタッチパネルタイプ以外の一般のディスプレイを取付ければ、従来の支持アームと同様にして使用することができる。
【００２０】
また一般のディスプレイを取付けて通常の軽い回転操作可能な形態とするときは、トルクユニット１７を固定しているネジ２２を外してトルクユニット１７を抜き外すことにより達成することができる。
【００２１】
使用形態や操作上の観点から連結部１１，１２，１３の一部を回転しない構成とすることもできる。この場合には、軸受部１６の止ネジ２７を長いものと交換し、その内部を軸１５に圧接させるようにすればよい。
【００２２】
以上の構成の組合せにより、ディスプレイの用途や使用する場所に応じて各連結部１１，１２，１３とも軽く回転する構成、所定のトルクにより回転する構成、不回転とする構成のいずれをも簡単に対応することができ、凡用性を与えることができる。
【００２３】
【発明の効果】
以上説明したように本発明によれば、アームによる支持構造でありながらタッチパネルタイプの液晶ディスプレイのタッチ操作時にディスプレイが動くことなく操作することができ、またディスプレイの位置の変更時や格納時には従来の支持アームと同様にディスプレイを任意所望の位置へ移動させることができる。
【図面の簡単な説明】
【図１】本発明の一実施形態を示す使用時の斜視図。
【図２】同、側面図。
【図３】アームの連結部を示す分解斜視図。
【図４】同、組付け後の断面図。
【図５】図３、図４におけるトルクユニットを取出して示すプレートを断面とした正面図。
【符号の説明】
１  デスク
３  挟持金具
４  基台
５，６，７  アーム
８  ディスプレイ（液晶フラットディスプレイ）
１０  ディスプレイ受台
１１，１２，１３  連結部
１４  摩擦発生装置
１５  軸
１６  軸受部
１７  トルクユニット
２０  軸部
２３  プレート
２４  摩擦板
２５  頭部
【図１】
0004290257.tif 000002
【図２】
0004290257.tif 000003
【図３】
0004290257.tif 000004
【図４】
0004290257.tif 000005
【図５】
0004290257.tif 000006